(57)【要約】【課題】本発明は、従来にない非常に実用的な発電機能付き冷房装置を提供することを目的とする。【解決手段】冷媒Ｓを圧縮する圧縮部１と、冷媒Ｓを膨張させる膨張部３と、冷媒Ｓを蒸発させる蒸発部５と、冷媒Ｓの圧力を利用して発電する発電部７とを有し、前記圧縮部１から前記膨張部３へ第一冷媒搬送部２を介して冷媒Ｓは搬送され、前記膨張部３から前記蒸発部５へ第二冷媒搬送部４を介して冷媒Ｓは搬送され、前記蒸発部５から前記発電部７へ第三冷媒搬送部６を介して冷媒Ｓは搬送され、前記発電部７から前記圧縮部１へ第四冷媒搬送部８を介して冷媒Ｓは搬送されるように構成されたものである。【選択図】図１
2019184227.tif 000002
【特許請求の範囲】
【請求項１】
冷媒を圧縮する圧縮部と、冷媒を膨張させる膨張部と、冷媒を蒸発させる蒸発部と、冷媒の圧力を利用して発電する発電部とを有し、前記圧縮部から前記膨張部へ第一冷媒搬送部を介して冷媒は搬送され、前記膨張部から前記蒸発部へ第二冷媒搬送部を介して冷媒は搬送され、前記蒸発部から前記発電部へ第三冷媒搬送部を介して冷媒は搬送され、前記発電部から前記圧縮部へ第四冷媒搬送部を介して冷媒は搬送されるように構成されており、更に、前記第一冷媒搬送部で搬送される冷媒と前記第三冷媒搬送部で搬送される冷媒とで熱交換する第一熱交換部と、前記第二冷媒搬送部で搬送される冷媒と前記第四冷媒搬送部で搬送される冷媒とで熱交換する第二熱交換部とを有することを特徴とする発電機能付き冷房装置。
【請求項２】
請求項１記載の発電機能付き冷房装置において、前記第一熱交換部は断熱材で覆われていることを特徴とする発電機能付き冷房装置。
【請求項３】
請求項１，２いずれか１項に記載の発電機能付き冷房装置において、前記発電部は、回転部の回転により発電する構成であり、また、前記冷媒の圧力を利用して駆動する駆動構造部を有し、この駆動構造部の駆動力は回転変換機構を介して前記回転部の回転力に変換されるように構成されていることを特徴とする発電機能付き冷房装置。
【請求項４】
請求項３記載の発電機能付き冷房装置において、前記駆動構造部は、シリンダー部内に前記冷媒が導入・導出されることで摺動部が往復動して駆動力が生じる構成であり、前記シリンダー部には、前記シリンダー部内への前記冷媒の導入・導出を切り替える切り替え弁体を介して前記第三冷媒搬送部及び前記第四冷媒搬送部が連設され、この切り替え弁体は、前記回転部の回転に連動して回転するように構成され、前記切り替え弁体には、前記第三冷媒搬送部と前記シリンダー部内とを連通する冷媒導入経路部と、前記第四冷媒搬送部と前記シリンダー部内とを連通する冷媒導出経路部とが設けられ、前記切り替え弁体の回転に伴い前記冷媒導入経路部及び前記冷媒導出経路部と前記シリンダー部との連通状態が交互に切り替わることで、前記シリンダー部内への冷媒の導入と前記シリンダー部内からの冷媒の導出が切り替わり、前記摺動部の往復動が制御されることを特徴とする発電機能付き冷房装置。
【請求項５】
請求項４記載の発電機能付き冷房装置において、前記切り替え弁体は、前記第三冷媒搬送部及び前記第四冷媒搬送部を連通する連通管内に配される棒体であり、前記冷媒導入経路部及び前記冷媒導出経路部は、前記棒体に設けられた切欠部であることを特徴とする発電機能付き冷房装置。
【請求項６】
請求項４，５いずれか１項に記載の発電機能付き冷房装置において、前記摺動部の往復動に伴い前記切り替え弁体が回転するように構成されていることを特徴とする発電機能付き冷房装置。
【発明の詳細な説明】
【技術分野】
【０００１】
本発明は、発電機能付き冷房装置に関するものである。
【背景技術】
【０００２】
従来から、アスファルトやコンクリートで地表が覆われた人工被覆領域が多い都市部において、その周辺の郊外部に比して気温が著しく上昇するヒートアイランド現象が問題となっており、例えば冷房装置（室外機）から排出される排気熱もこのヒートアイランド現象が起きる原因の一つと言われている。
【０００３】
そこで、従来においても冷房装置から排出される排気熱の処理技術として、例えば特開２０１０−２７１０２８号（以下、従来例）に開示されるような排気熱の処理技術が提案されている。
【０００４】
この従来例は、冷房装置の室外機の排気吹き出し部に水を含浸させるフィルターを取り付け、そのフィルターに室外機から排出される排気を通過させて該排気中の熱を吸収するものである。
【先行技術文献】
【特許文献】
【０００５】
【特許文献１】特開２００７−１７８０５８号公報
【発明の概要】
【発明が解決しようとする課題】
【０００６】
しかしながら、従来例は、室外機から排出される排気中の熱を十分に吸収できず、装置外への熱の排出を十分に防止できていないのが現状である。
【０００７】
本発明は、前述した問題点に鑑み、従来にない非常に実用的な発電機能付き冷房装置を提供する。
【課題を解決するための手段】
【０００８】
添付図面を参照して本発明の要旨を説明する。
【０００９】
冷媒Ｓを圧縮する圧縮部１と、冷媒Ｓを膨張させる膨張部３と、冷媒Ｓを蒸発させる蒸発部５と、冷媒Ｓの圧力を利用して発電する発電部７とを有し、前記圧縮部１から前記膨張部３へ第一冷媒搬送部２を介して冷媒Ｓは搬送され、前記膨張部３から前記蒸発部５へ第二冷媒搬送部４を介して冷媒Ｓは搬送され、前記蒸発部５から前記発電部７へ第三冷媒搬送部６を介して冷媒Ｓは搬送され、前記発電部７から前記圧縮部１へ第四冷媒搬送部８を介して冷媒Ｓは搬送されるように構成されており、更に、前記第一冷媒搬送部２で搬送される冷媒Ｓと前記第三冷媒搬送部６で搬送される冷媒Ｓとで熱交換する第一熱交換部９と、前記第二冷媒搬送部４で搬送される冷媒Ｓと前記第四冷媒搬送部８で搬送される冷媒Ｓとで熱交換する第二熱交換部10とを有することを特徴とする発電機能付き冷房装置に係るものである。
【００１０】
また、請求項１記載の発電機能付き冷房装置において、前記第一熱交換部９は断熱材で覆われていることを特徴とする発電機能付き冷房装置に係るものである。
【００１１】
また、請求項１，２いずれか１項に記載の発電機能付き冷房装置において、前記発電部７は、回転部11の回転により発電する構成であり、また、前記冷媒Ｓの圧力を利用して駆動する駆動構造部12を有し、この駆動構造部12の駆動力は回転変換機構13を介して前記回転部11の回転力に変換されるように構成されていることを特徴とする発電機能付き冷房装置に係るものである。
【００１２】
また、請求項３記載の発電機能付き冷房装置において、前記駆動構造部12は、シリンダー部14内に前記冷媒Ｓが導入・導出されることで摺動部15が往復動して駆動力が生じる構成であり、前記シリンダー部14には、前記シリンダー部14内への前記冷媒Ｓの導入・導出を切り替える切り替え弁体16を介して前記第三冷媒搬送部６及び前記第四冷媒搬送部８が連設され、この切り替え弁体16は、前記回転部11の回転に連動して回転するように構成され、前記切り替え弁体16には、前記第三冷媒搬送部６と前記シリンダー部14内とを連通する冷媒導入経路部17と、前記第四冷媒搬送部８と前記シリンダー部14内とを連通する冷媒導出経路部18とが設けられ、前記切り替え弁体16の回転に伴い前記冷媒導入経路部17及び前記冷媒導出経路部18と前記シリンダー部14との連通状態が交互に切り替わることで、前記シリンダー部14内への冷媒Ｓの導入と前記シリンダー部14内からの冷媒Ｓの導出が切り替わり、前記摺動部15の往復動が制御されることを特徴とする発電機能付き冷房装置に係るものである。
【００１３】
また、請求項４記載の発電機能付き冷房装置において、前記切り替え弁体16は、前記第三冷媒搬送部６及び前記第四冷媒搬送部８を連通する連通管14ａ内に配される棒体16’であり、前記冷媒導入経路部17及び前記冷媒導出経路部18は、前記棒体16’に設けられた切欠部であることを特徴とする発電機能付き冷房装置に係るものである。
【００１４】
また、請求項４，５いずれか１項に記載の発電機能付き冷房装置において、前記摺動部15の往復動に伴い前記切り替え弁体16が回転するように構成されていることを特徴とする発電機能付き冷房装置に係るものである。
【発明の効果】
【００１５】
本発明は上述のように構成したから、冷房作動時に生じる熱の装置外への排出を可及的に防止することができ、しかも、この熱を利用して効率良く発電が行なわれることになるなど、従来にない非常に実用的な発電機能付き冷房装置となる。
【図面の簡単な説明】
【００１６】
【図１】実施例１の概略説明図である。
【図２】実施例１の要部の説明断面図である。
【図３】実施例１の要部の動作説明図である。
【図４】実施例１の要部の動作説明図である。
【図５】実施例１の要部の動作説明図である。
【図６】実施例１の要部の動作説明図である。
【図７】実施例２の要部の動作説明図である。
【図８】実施例２の要部の動作説明図である。
【図９】実施例２の要部の説明図である。
【発明を実施するための形態】
【００１７】
好適と考える本発明の実施形態を、図面に基づいて本発明の作用を示して簡単に説明する。
【００１８】
本発明は、装置内を冷媒Ｓが循環し、この冷媒Ｓの循環に伴い、冷風の作出と発電が行なわれる。
【００１９】
具体的には、圧縮部１にて冷媒Ｓは圧縮される。
【００２０】
続いて、この圧縮部１から導出された冷媒Ｓは第一冷媒搬送部２を介して膨張部３へ搬送され、この膨張部３にて冷媒Ｓは膨張される。
【００２１】
続いて、この膨張部３から導出された冷媒Ｓは第二冷媒搬送部４を介して蒸発部５へ搬送され、この蒸発部５にて冷媒Ｓは蒸発され、この蒸発部５での冷媒Ｓの蒸発時に冷風の作出が行われる。
【００２２】
続いて、蒸発部５から導出された冷媒Ｓは第三冷媒搬送部６を介して発電部７へ搬送され、この発電部７にて冷媒Ｓの圧力を利用して発電が行なわれる。
【００２３】
続いて、この発電部７から導出された冷媒Ｓは第四冷媒搬送部８を介して前記圧縮部１へ搬送される。
【００２４】
ところで、本発明は、第一冷媒搬送部２で搬送される冷媒Ｓと第三冷媒搬送部６で搬送される冷媒Ｓとで熱交換する第一熱交換部９と、第二冷媒搬送部４で搬送される冷媒Ｓと第四冷媒搬送部８で搬送される冷媒Ｓとで熱交換する第二熱交換部10とを有している。
【００２５】
即ち、第一熱交換部９にて、第一冷媒搬送部２で搬送される冷媒Ｓと第三冷媒搬送部６で搬送される冷媒Ｓとで熱交換が行われ、圧縮部１の圧縮で生じた熱は第三冷媒搬送部６の冷媒Ｓに引き受けられ、発電に利用される。つまり、冷媒Ｓは熱を受け取ることで昇温して高圧となり、この圧力を利用して良好に発電が行なわれる。
【００２６】
また、第二熱交換部10にて、第二冷媒搬送部４で搬送される冷媒Ｓと第四冷媒搬送部８で搬送される冷媒Ｓとで熱交換が行われ、第四冷媒搬送部８で搬送される冷媒Ｓが持つ熱は第二冷媒搬送部４で搬送される冷媒Ｓで引き受けられ、低温の冷媒Ｓが圧縮部１へ搬送される。
【００２７】
以上から、本発明は、従来例のように装置外に熱を排出するための室外機は不要となり、冷房作動によって生じる熱を、装置内を循環する冷媒Ｓで受け渡すことで装置外への排出が可及的に防止されることになり、しかも、効率良く発電に利用されることになる。
【実施例】
【００２８】
＜実施例１＞
本発明の具体的な実施例１について図面に基づいて説明する。
【００２９】
本実施例は、装置内を循環する冷媒Ｓの熱及び圧を利用して発電及び冷房を行なう発電機能付き冷房装置である。
【００３０】
具体的には、冷媒Ｓを圧縮する圧縮部１と、冷媒Ｓを膨張させる膨張部３と、冷媒Ｓを蒸発させる蒸発部５と、冷媒Ｓの圧力を利用して発電する発電部７とを有し、圧縮部１から膨張部３へ第一冷媒搬送部２を介して圧縮された冷媒Ｓは搬送され、膨張部３から蒸発部５へ第二冷媒搬送部４を介して冷媒Ｓは搬送され、蒸発部５から発電部７へ第三冷媒搬送部６を介して冷媒Ｓは搬送され、発電部７から圧縮部１へ第四冷媒搬送部８を介して冷媒Ｓは搬送されるように構成されており、更に、第一冷媒搬送部２で搬送される冷媒Ｓと第三冷媒搬送部６で搬送される冷媒Ｓとで熱交換する第一熱交換部９と、第二冷媒搬送部４で搬送される冷媒Ｓと第四冷媒搬送部８で搬送される冷媒Ｓとで熱交換する第二熱交換部10とを有するものである。尚、本実施例では冷媒ＳとしてＲ１３４ａを採用している。
【００３１】
圧縮部１は、図１に図示したように後述する第四冷媒搬送部８から導入された冷媒Ｓを圧縮して導出するコンプレッサーである。
【００３２】
具体的には、圧縮部１では、第四冷媒搬送部８から導入された低温（約１０℃）・低圧（０．１Ｍｐｓ）の冷媒Ｓ（気体）が圧縮されて、高温（約４０℃〜５０℃）・高圧（１．１Ｍｐｓ）の冷媒Ｓ（気体）が導出される。
【００３３】
この圧縮部１から導出された冷媒Ｓは、高断熱構造を有する管状の第一冷媒搬送部２を介して膨張部３へ搬送される。この第一冷媒搬送部２で搬送される冷媒Ｓは、後述する第一熱交換部９にて熱交換され、中温（約２０℃）・高圧（１．１Ｍｐｓ）の冷媒Ｓ（気体）として膨張部３へ搬送される。尚、この第一冷媒搬送部２における第一熱交換部９に位置する部位は、熱交換を行なう為、熱伝導性の良い構造となっている。
【００３４】
膨張部３は、図１に図示したように第一冷媒搬送部２から導入された冷媒Ｓを膨張して導出する膨張構造体（電子膨張弁）である。
【００３５】
具体的には、膨張部３では、第一冷媒搬送部２から導入された中温（約２０℃）・高圧（１．１Ｍｐｓ）の冷媒Ｓ（気体）が膨張されて、低温（約０℃〜４℃）・低圧（０．４Ｍｐｓ）の冷媒Ｓ（液体）が導出される。
【００３６】
この膨張部３から導出された冷媒Ｓは、高断熱構造を有する管状の第二冷媒搬送部４を介して蒸発部５へ搬送される。この第二冷媒搬送部４で搬送される冷媒Ｓは、後述する第二熱交換部10にて熱交換され、中低温（約５℃〜７℃）・低圧（０．４Ｍｐｓ）の冷媒Ｓ（液体）として蒸発部５へ搬送される。尚、この第二冷媒搬送部４における第二熱交換部10に位置する部位は、熱交換を行なう為、熱伝導性の良い構造となっている。
【００３７】
蒸発部５は、図１に図示したように第二冷媒搬送部４から導入された冷媒Ｓを蒸発して導出する蒸発構造体である。
【００３８】
具体的には、蒸発部５は、図２に図示したように第二冷媒搬送部４の端部と第三冷媒搬送部６の端部間に架設される多数の細管部５ａからなる細管部群を有し、この細管部群（細管部５ａ）に風を送る送風部19（ファン）が設けられている。
【００３９】
この送風部19からの送風は、細管部群（細管部５ａの周面）を通過することで冷風となり（これが冷房機能である。）、この際、各細管部５ａの中では液体の冷媒Ｓが気化され気体となる。
【００４０】
この蒸発部５では、第二冷媒搬送部４から導入された中低温（約５℃〜７℃）・低圧（０．４Ｍｐｓ）の冷媒Ｓ（液体）が蒸発されて、中温（約１３℃〜２０℃）・低圧（０．４Ｍｐｓ）の冷媒Ｓ（気体）が導出される。
【００４１】
この蒸発部５から導出された冷媒Ｓは、高断熱構造を有する管状の第三冷媒搬送部６を介して発電部７へ搬送される。この第三冷媒搬送部６で搬送される冷媒Ｓは、第一熱交換部９にて熱交換され、高温（約３０℃〜４０℃）・中高圧（約０．４Ｍｐｓ〜０．５Ｍｐｓ）の体積膨張した冷媒Ｓ（気体）として発電部７へ搬送される。尚、負荷圧力に耐える気化温度を維持すればそれ以上温度を加熱する必要はない。
【００４２】
発電部７は、図１に図示したように第三冷媒搬送部６から導入された冷媒Ｓの圧力を利用して発電する発電構造体である。
【００４３】
具体的には、発電部７は、図３，４に図示したように回転部11の回転により発電する構成であり、また、冷媒Ｓの圧力を利用して駆動する駆動構造部12を有し、この駆動構造部12の駆動力は回転変換機構13（クランク機構）を介して回転部11の回転力に変換されるように構成されている。
【００４４】
駆動構造部12は、シリンダー部14内に冷媒Ｓが導入・導出されることで摺動部15（ピストン）が往復動して駆動力が生じる構成であり、この摺動部15の下端部（ピストンロッド15）が回転変換機構13を介して回転部11に連設され、摺動部15の往復運動が回転部11の回転運動に変換される。
【００４５】
また、シリンダー部14には、該シリンダー部14内への冷媒Ｓの導入・導出を切り替える切り替え弁体16を介して第三冷媒搬送部６及び第四冷媒搬送部８が連設されている。
【００４６】
この切り替え弁体16は、第三冷媒搬送部６及び後述する第四冷媒搬送部８を連通する連通管14ａ内に配される断面円形の丸棒体16’であり、その一端部は作動連結機構20を介して回転部11に連設され、この回転部11の回転（摺動部15の往復動）に連動して切り替え弁体16は回転（９０度の回転角度で繰り返し正逆方向に反転）するように構成されている。
【００４７】
作動連結機構20は、切り替え弁体16の一端部に巻き付き連結される連結部材20ａと、この連結部材20ａの他端部に連結される擺動部材20ｂとを有し、この擺動部材20ｂは回転部11に設けられた作用部11ａ（偏芯カム部）の回転に伴い上下方向に擺動するように設けられ、この擺動部材20ｂが上下方向に擺動することで連結部材20ａは上下方向に移動して切り替え弁体16が回転するように構成されている。符号20ｃは擺動部材20ｂを下方に付勢する付勢部材である。
【００４８】
また、切り替え弁体16には、第三冷媒搬送部６とシリンダー部14内とを連通する冷媒導入経路部17と、第四冷媒搬送部８とシリンダー部14内とを連通する冷媒導出経路部18とが設けられ、この冷媒導入経路部17は、棒体16’の周面に垂直方向（棒体16’の軸心と直交する方向）に形成された凹条から成る切欠部17であり、冷媒導出経路部18は、棒体16’の周面に水平方向（棒体16’の軸心方向）に設けられた凹条から成る切欠部18である。
【００４９】
また、本実施例では、この切り替え弁体16の回転に伴い冷媒導入経路部17及び冷媒導出経路部18とシリンダー部14との連通状態が交互に切り替わることで、シリンダー部14内への冷媒Ｓの導入とシリンダー部14内からの冷媒Ｓの導出が切り替わり、摺動部15の往復動が制御される。
【００５０】
具体的には、第三冷媒搬送部６とシリンダー部14の内空間とが冷媒導入経路部17を介して連通状態となることで、第三冷媒搬送部６から冷媒Ｓが冷媒導入経路部17を介してシリンダー部14内へ導入される際、切り替え弁体16は一方向へ回転するとともに、摺動部15は下方へ移動して回転変換機構13（クランク機構）を介して回転部11は回転し、更に、回転部11が回転することで摺動部15が上方へ移動するとともに、切り替え弁体16は他方向へ反転する（この際、付勢部材20ｃの付勢力が回転部11の回転の助力となる）と、シリンダー部14の内空間と第四冷媒搬送部８とが冷媒導出経路部18を介して連通状態となることで、シリンダー部14内の冷媒Ｓは冷媒導出経路部18を介して第四冷媒搬送部８へ導出されることになり（図３〜６参照）、この摺動部15の往復動と切り替え弁体16の正逆反転を繰り返して回転部11が回転することで発電が行なわれる。
【００５１】
また、発電部７では、第三冷媒搬送部６から導入された高温（約３０℃〜４０℃）・中高圧（約０．４Ｍｐｓ〜０．５Ｍｐｓ）の冷媒Ｓ（気体）が減圧されて、高温（約３０℃〜４０℃）・低圧（約０．１Ｍｐｓ）の冷媒Ｓ（気体）が導出される。
【００５２】
この発電部７から導出された冷媒Ｓは、高断熱構造を有する管状の第四冷媒搬送部８を介して圧縮部１へ搬送される。この第四冷媒搬送部８で搬送される冷媒Ｓは、第二熱交換部10にて熱交換され、低温（約１０℃）・低圧（約０．１Ｍｐｓ）の冷媒Ｓ（気体）として圧縮部１へ搬送される。
【００５３】
第一熱交換部９は、図１に図示したように第三冷媒搬送部６の途中位置に設けられ該第三冷媒搬送部６で搬送される冷媒Ｓが通過するケース部９ａを有し、このケース部９ａ内に第一冷媒搬送部２の一部が配設されている。
【００５４】
従って、第一冷媒搬送部２で搬送される冷媒Ｓと第三冷媒搬送部６で搬送される冷媒Ｓとで熱交換が行われる。
【００５５】
また、このケース部９ａの周囲は断熱材９ｂで覆われている。
【００５６】
従って、圧縮部１から導出される冷媒Ｓの熱は確実に熱交換に用いられ、装置外への熱の排出が可及的に防止される。
【００５７】
尚、本実施例では、圧縮部１（コンプレッサー）及び膨張部３（膨張弁）と送風部19（ファン）の回転数を変化させることで第一熱交換部９の最高温度が制御される。
【００５８】
第二熱交換部10は、図１に図示したよう第四冷媒搬送部８の途中位置に設けられ該第四冷媒搬送部８で搬送される冷媒Ｓが通過するケース部10ａを有し、このケース部10ａ内に第二冷媒搬送部４の一部が配設されている。
【００５９】
従って、第二冷媒搬送部４で搬送される冷媒Ｓと第四冷媒搬送部８で搬送される冷媒Ｓとで熱交換が行われる。
【００６０】
本実施例は上述のように構成したから、装置内を冷媒Ｓが循環し、この冷媒Ｓの循環に伴い、冷風の作出と発電が行なわれる。
【００６１】
具体的には、圧縮部１にて冷媒Ｓは圧縮される。
【００６２】
続いて、この圧縮部１から導出された冷媒Ｓは第一冷媒搬送部２を介して膨張部３へ搬送され、この膨張部３にて冷媒Ｓは膨張される。
【００６３】
続いて、この膨張部３から導出された冷媒Ｓは第二冷媒搬送部４を介して蒸発部５へ搬送され、この蒸発部５にて冷媒Ｓは蒸発され、この蒸発部５での冷媒Ｓの蒸発時に冷風の作出が行われる。
【００６４】
続いて、蒸発部５から導出された冷媒Ｓは第三冷媒搬送部６を介して発電部７へ搬送され、この発電部７にて冷媒Ｓの圧力を利用して発電が行なわれる。
【００６５】
続いて、この発電部７から導出された冷媒Ｓは第四冷媒搬送部８を介して前記圧縮部１へ搬送される。
【００６６】
また、本実施例は、第一冷媒搬送部２で搬送される冷媒Ｓと第三冷媒搬送部６で搬送される冷媒Ｓとで熱交換する第一熱交換部９と、第二冷媒搬送部４で搬送される冷媒Ｓと第四冷媒搬送部８で搬送される冷媒Ｓとで熱交換する第二熱交換部10とを有している。
【００６７】
即ち、第一熱交換部９にて、第一冷媒搬送部２で搬送される冷媒Ｓと第三冷媒搬送部６で搬送される冷媒Ｓとで熱交換が行われ、圧縮部１で圧縮で生じた熱は第三冷媒搬送部６の冷媒Ｓに引き受けられ、発電に利用される。つまり、冷媒Ｓは熱を受け取ることで昇温して高圧となり、この圧力を利用して良好に発電が行なわれる。
【００６８】
また、第二熱交換部10にて、第二冷媒搬送部４で搬送される冷媒Ｓと第四冷媒搬送部８で搬送される冷媒Ｓとで熱交換が行われ、第四冷媒搬送部８で搬送される冷媒Ｓが持つ熱は第二冷媒搬送部４で搬送される冷媒Ｓで引き受けられ、低温の冷媒Ｓが圧縮部１へ搬送される（圧縮部１へは低温の冷媒Ｓが供給されるのが望ましい。）。
【００６９】
つまり、本実施例は、従来例のように装置外に熱を排出するための室外機は不要となり、冷房作動によって生じる熱を、装置内を循環する冷媒Ｓで受け渡すことで装置外への排出が可及的に防止されることになり、しかも、効率良く発電に利用されることになる。
【００７０】
また、本実施例は、第一熱交換部９は断熱材で覆われているから、より一層熱の排出が防止されることになる。
【００７１】
また、本実施例は、発電部７は、回転部11の回転により発電する構成であり、また、冷媒Ｓの圧力を利用して駆動する駆動構造部12を有し、この駆動構造部12の駆動力は回転変換機構13を介して回転部11の回転力に変換されるように構成されているから、確実に発電部７で冷媒Ｓの圧力を利用して発電することができる。
【００７２】
また、本実施例は、駆動構造部12は、シリンダー部14内に冷媒Ｓが導入・導出されることで摺動部15が往復動して駆動力が生じる構成であり、シリンダー部14には、該シリンダー部14内への冷媒Ｓの導入・導出を切り替える切り替え弁体16を介して第三冷媒搬送部６及び第四冷媒搬送部８が連設され、この切り替え弁体16は、回転部11の回転に連動して回転し、この切り替え弁体16には、第三冷媒搬送部６とシリンダー部14内とを連通する冷媒導入経路部17と、シリンダー部14内と第四冷媒搬送部８とを連通する冷媒導出経路部18とが設けられ、切り替え弁体16の回転に伴いシリンダー部14に対する冷媒導入経路部17及び冷媒導出経路部18の連通状態が交互に切り替わることで、シリンダー部14内への冷媒Ｓの導入と導出が切り替わるように構成されているから、簡易構造でありながら確実にシリンダー部14内の摺動部15を往復移動させることができ、冷媒Ｓの圧力を利用して良好に発電することができる。
【００７３】
＜実施例２＞
本発明の具体的な実施例２について図面に基づいて説明する。
【００７４】
本実施例は、別タイプの発電部７（第三冷媒搬送部６から導入された冷媒Ｓの圧力を利用して発電する発電構造体）を設けている。
【００７５】
具体的には、発電部７は、図７，８に図示したようにボックス状の密閉基体21内に設けられる発電装置22が回転部11の回転により発電する構成であり、また、冷媒Ｓの圧力を利用して駆動する駆動構造部12を有し、この駆動構造部12の駆動力は回転変換機構13（クランク機構）を介して回転部11の回転力に変換されるように構成されている。
【００７６】
駆動構造部12は、シリンダー部14内に冷媒Ｓが導入・導出されることで摺動部15（ピストン）が往復動して駆動力が生じる構成であり、この摺動部15の下端部（ピストンロッド15）が回転変換機構13を介して回転部11に連設され、摺動部15の往復運動が回転部11の回転運動に変換される。
【００７７】
また、シリンダー部14には、該シリンダー部14内への冷媒Ｓの導入・導出を切り替える切り替え弁体16を介して第三冷媒搬送部６及び第四冷媒搬送部８が連設されている。
【００７８】
この切り替え弁体16は、第三冷媒搬送部６及び第四冷媒搬送部８を連通する連通管14ａ内に嵌挿される断面円形の丸棒体16’であり、その基端部（図７，８中右端）は作動連結機構20を介して回転部11に連設され、この回転部11の回転（摺動部15の往復動）に連動して切り替え弁体16は回転（９０度の回転角度で繰り返し正逆方向に反転）するように構成されている。
【００７９】
作動連結機構20は、切り替え弁体16の一端部に連結される第一歯車部材20ｄと、この第一歯車部材20ｄに歯合される第二歯車部材20ｅとを有し、この第二擺動部材20ｅは回転部11に設けられた作用部11ａ（偏芯カム部）の回転に伴い回転するように設けられ、この第二歯車部材20ｅが回転することで第一歯車部材20ｄは回転して切り替え弁体16が回転するように構成されている。
【００８０】
また、切り替え弁体16は、先端部（図７，８中左端）にテーパー部16ａが設けられており、この切り替え弁体16を嵌挿させた際、テーパー部16ａが形状合致する合致孔14ａ’が連結管14ａ内に設けられている。
【００８１】
また、切り替え弁体16には、第三冷媒搬送部６とシリンダー部14内とを連通する冷媒導入経路部17と、第四冷媒搬送部８とシリンダー部14内とを連通する冷媒導出経路部18とが設けられている。尚、本実施例では、密閉基体21の内空間は第四冷媒搬送部８の一部として構成され、冷媒導出経路部18を介して切り替え弁体16を通過した冷媒Ｓは、第四冷媒搬送部８（密閉基体21の内空間）へと導出される。
【００８２】
この冷媒導入経路部17は、図９に図示したように一端が棒体16’の先端面に、他端がテーパー部16ａのテーパー周面に開口するＬ字状の貫通孔17であり、また、冷媒導出経路部18は、図９に図示したように棒体16’の周面に水平方向（棒体16’の軸心方向）に設けられた凹条から成る切欠部18である。
【００８３】
また、本実施例では、この切り替え弁体16の回転に伴い冷媒導入経路部17及び冷媒導出経路部18とシリンダー部14との連通状態が交互に切り替わることで、シリンダー部14内への冷媒Ｓの導入とシリンダー部14内からの冷媒Ｓの導出が切り替わり、摺動部15の往復動が制御される。
【００８４】
具体的には、第三冷媒搬送部６とシリンダー部14の内空間とが冷媒導入経路部17を介して連通状態となることで、第三冷媒搬送部６から冷媒Ｓが冷媒導入経路部17を介してシリンダー部14内へ導入される際、切り替え弁体16は一方向へ回転するとともに、摺動部15は下方へ移動して回転変換機構13（クランク機構）を介して回転部11は回転し、更に、回転部11が回転することで摺動部15が上方へ移動するとともに、切り替え弁体16は他方向へ反転すると、シリンダー部14の内空間と第四冷媒搬送部８とが冷媒導出経路部18を介して連通状態となることで、シリンダー部14内の冷媒Ｓは冷媒導出経路部18を介して第四冷媒搬送部８へ導出されることになり（図７，８参照）、この摺動部15の往復動と切り替え弁体16の正逆反転を繰り返して回転部11が回転することで発電が行なわれる。
【００８５】
また、第三冷媒搬送部６から冷媒Ｓが冷媒導入経路部17を介してシリンダー部14内へ導入される際、切り替え弁体16は冷媒Ｓの導入圧による基端側への押し込み力を受け、この押し込み力によりテーパー部16ａと合致孔14ａ’は密着することで冷媒Ｓの漏れ（シリンダー部14外への漏れ）が可及的に防止されている。
【００８６】
符号23は密閉基体21内に配される作動液（油）である。
【００８７】
その余は実施例１と同様である。
【００８８】
尚、本発明は、実施例１，２に限られるものではなく、各構成要件の具体的構成は適宜設計し得るものである。
【符号の説明】
【００８９】
Ｓ  冷媒
１  圧縮部
２  第一冷媒搬送部
３  膨張部
４  第二冷媒搬送部
５  蒸発部
６  第三冷媒搬送部
７  発電部
８  第四冷媒搬送部
９  第一熱交換部
10  第二熱交換部
11  回転部
12  駆動構造部
13  回転変換機構
14  シリンダー部
14ａ  連通管
15  摺動部
16  切り替え弁体
16’  棒体
17  冷媒導入経路部
18  冷媒導出経路部
【図１】
2019184227.tif 000003
【図２】
2019184227.tif 000004
【図３】
2019184227.tif 000005
【図４】
2019184227.tif 000006
【図５】
2019184227.tif 000007
【図６】
2019184227.tif 000008
【図７】
2019184227.tif 000009
【図８】
2019184227.tif 000010
【図９】
2019184227.tif 000011